(57)【要約】【課題】  視聴したい番組がない時間帯を利用して、コンテンツを効率よく視聴すること。【解決手段】  制御装置１０５は、ＨＤＤ１０４に格納されているコンテンツを、「視聴したい番組」の空き時間の長さに応じた再生時間になるように編集し、編集結果に基づいてコンテンツを再生する。【選択図】      図１
2006086607.tif 000002
【特許請求の範囲】
【請求項１】
使用者によって録画予約された番組を再生可能なコンテンツとして記憶手段に記憶する録画手段と、
使用者によって録画予約がされていない空き時間が存在するときに、前記記憶手段に記憶されたコンテンツを、前記空き時間の長さに応じた再生時間になるように編集する編集手段と、
前記空き時間に前記編集手段で編集した編集コンテンツを再生する再生手段とを備えることを特徴とする映像再生装置。
【請求項２】
請求項１に記載の映像再生装置において、
前記編集手段は、前記記憶手段に記憶されたコンテンツの中から選択された１つのコンテンツの再生時間、または前記記憶手段に記憶されたコンテンツの中から選択された２以上のコンテンツの合計再生時間が前記空き時間より長い場合は、前記再生時間、または合計再生時間が前記空き時間内に収まるようにコンテンツの再生速度の設定を変更することを特徴とする映像再生装置。
【請求項３】
請求項２に記載の映像再生装置において、
前記編集手段は、前記コンテンツの再生速度の設定を変更するに当たって、当該再生速度の設定を所定の再生速度を上限として変更することを特徴とする映像再生装置。
【請求項４】
請求項１に記載の映像再生装置において、
前記編集手段は、前記記憶手段に記憶されたコンテンツの中から未視聴のコンテンツとして選択された２以上のコンテンツの合計再生時間が前記空き時間より長い場合は、前記未視聴のコンテンツの中から前記合計再生時間が前記空き時間内に収まるように、２以上のコンテンツを抽出することを特徴とする映像再生装置。
【請求項５】
請求項１〜４のいずれか一項に記載の映像再生装置において、
前記編集手段は、前記録画手段で録画した録画コンテンツ、およびカメラで撮像した静止画コンテンツを、前記空き時間の長さに応じて、組み合わせて再生するように編集することを特徴とする映像再生装置。
【請求項６】
請求項１〜５のいずれか一項に記載の映像再生装置において、
前記再生手段は、前記編集手段で編集したコンテンツをモニタに表示して再生し、
前記編集手段は、前記空き時間が存在するときに、前記モニタの電源がオンの場合のみ前記コンテンツを編集することを特徴とする映像再生装置。
【請求項７】
使用者によって録画予約された番組を録画して再生可能なコンテンツとして記憶手段に記憶する録画処理と、
使用者によって録画予約がされていない空き時間が存在するか否かを判断し、前記空き時間が存在すると判断された際に、前記記憶手段に記憶された再生可能なコンテンツを、前記空き時間の長さに応じた再生時間になるように編集する編集処理と、
前記編集処理によって編集された編集コンテンツを前記空き時間に再生する再生処理とをコンピュータで実行するための映像再生用プログラム。
【請求項８】
請求項７に記載の映像再生用プログラムにおいて、
前記編集処理は、前記記憶された再生可能なコンテンツの中から選択された１または２以上のコンテンツに対して、該選択された１つのコンテンツの再生時間、または２以上のコンテンツの合計再生時間が前記空き時間より長いか否かについて判断し、前記再生時間、または合計再生時間が前記空き時間より長いと判断された場合には、前記再生時間、または合計再生時間が前記空き時間内に収まるように前記選択されたコンテンツの再生速度の設定を変更することを特徴とする映像再生用プログラム。
【請求項９】
請求項８に記載の映像再生用プログラムにおいて、
前記編集処理は、前記選択されたコンテンツの再生速度の設定を変更するに当たって、当該再生速度の設定を所定の再生速度を上限として変更することを特徴とする映像再生用プログラム。
【請求項１０】
請求項７に記載の映像再生用プログラムにおいて、
前記編集処理は、前記記憶された再生可能なコンテンツの中から未視聴のコンテンツとして選択された２以上のコンテンツの合計再生時間が前記空き時間より長いか否かについて判断し、前記合計再生時間が前記空き時間より長いと判断された場合には、前記合計再生時間が前記空き時間内に収まるように、前記選択された２以上のコンテンツの中から２以上のコンテンツを抽出することを特徴とする映像再生用プログラム。
【発明の詳細な説明】
【技術分野】
【０００１】
本発明は、動画、および静止画をモニタに表示して再生する映像再生装置、および映像再生用プログラムに関する。
【背景技術】
【０００２】
視聴時間と録画時間とが重ならないように録画番組の再生スケジュールを作成して、録画の空き時間に録画番組の視聴が可能な放送受信装置が特許文献１によって知られている。
【０００３】
【特許文献１】特開２００２−３７４４６２号公報
【発明の開示】
【発明が解決しようとする課題】
【０００４】
しかしながら、従来の装置においては、録画の空き時間に再生可能な長さのコンテンツを再生するにすぎないため、なお空き時間を有効に活用できない場合があり、空き時間の有効活用が未だ十分でないという問題が生じていた。
【課題を解決するための手段】
【０００５】
請求項１に記載の映像再生装置は、使用者によって録画予約された番組を再生可能なコンテンツとして記憶手段に記憶する録画手段と、使用者によって録画予約がされていない空き時間が存在するときに、記憶手段に記憶されたコンテンツを、空き時間の長さに応じた再生時間になるように編集する編集手段と、空き時間に編集手段で編集した編集コンテンツを再生する再生手段とを備えることを特徴とする。
請求項２に記載の映像再生装置は、請求項１に記載の映像再生装置において、編集手段は、記憶手段に記憶されたコンテンツの中から選択された１つのコンテンツの再生時間、または記憶手段に記憶されたコンテンツの中から選択された２以上のコンテンツの合計再生時間が空き時間より長い場合は、再生時間、または合計再生時間が空き時間内に収まるようにコンテンツの再生速度の設定を変更することを特徴とする。
請求項３に記載の映像再生装置は、請求項２に記載の映像再生装置において、編集手段は、コンテンツの再生速度の設定を変更するに当たって、当該再生速度の設定を所定の再生速度を上限として変更することを特徴とする。
請求項４に記載の映像再生装置は、請求項１に記載の映像再生装置において、編集手段は、記憶手段に記憶されたコンテンツの中から未視聴のコンテンツとして選択された２以上のコンテンツの合計再生時間が空き時間より長い場合は、未視聴のコンテンツの中から合計再生時間が前記空き時間内に収まるように、２以上のコンテンツを抽出することを特徴とする。
請求項５に記載の映像再生装置は、請求項１〜４のいずれか一項に記載の映像再生装置において、編集手段は、録画手段で録画した録画コンテンツ、およびカメラで撮像した静止画コンテンツを、空き時間の長さに応じて、組み合わせて再生するように編集することを特徴とする。
請求項６に記載の映像再生装置は、請求項１〜５のいずれか一項に記載の映像再生装置において、再生手段は、編集手段で編集したコンテンツをモニタに表示して再生し、編集手段は、空き時間が存在するときに、モニタの電源がオンの場合のみ前記コンテンツを編集することを特徴とする。
請求項７に記載の映像再生用プログラムは、使用者によって録画予約された番組を録画して再生可能なコンテンツとして記憶手段に記憶する録画処理と、使用者によって録画予約がされていない空き時間が存在するか否かを判断し、空き時間が存在すると判断された際に、記憶手段に記憶された再生可能なコンテンツを、空き時間の長さに応じた再生時間になるように編集する編集処理と、編集処理によって編集された編集コンテンツを空き時間に再生する再生処理とをコンピュータで実行することを特徴とする。
請求項８に記載の映像再生用プログラムは、請求項７に記載の映像再生用プログラムにおいて、編集処理は、記憶された再生可能なコンテンツの中から選択された１または２以上のコンテンツに対して、該選択された１つのコンテンツの再生時間、または２以上のコンテンツの合計再生時間が前記空き時間より長いか否かについて判断し、再生時間、または合計再生時間が空き時間より長いと判断された場合には、再生時間、または合計再生時間が空き時間内に収まるように選択されたコンテンツの再生速度の設定を変更することを特徴とする。
請求項９に記載の映像再生用プログラムは、請求項８に記載の映像再生用プログラムにおいて、編集処理は、選択されたコンテンツの再生速度の設定を変更するに当たって、当該再生速度の設定を所定の再生速度を上限として変更することを特徴とする。
請求項１０に記載の映像再生用プログラムは、請求項７に記載の映像再生用プログラムにおいて、編集処理は、記憶された再生可能なコンテンツの中から未視聴のコンテンツとして選択された２以上のコンテンツの合計再生時間が空き時間より長いか否かについて判断し、合計再生時間が前記空き時間より長いと判断された場合には、合計再生時間が空き時間内に収まるように、選択された２以上のコンテンツの中から２以上のコンテンツを抽出することを特徴とする。
【発明の効果】
【０００６】
本発明によれば、空き時間の長さに応じて再生するコンテンツを編集することとした。これによって、空き時間を十分に活用してコンテンツを再生することができる。
【発明を実施するための最良の形態】
【０００７】
図１は、本実施の形態における映像再生装置の一実施の形態の構成例を示すブロック図である。映像再生装置１００は、テレビ放送、および電子番組情報（ＥＰＧ）を受信するチューナー１０１と、ＤＳＣ（Ｄｉｇｉｔａｌ Ｓｔｉｌｌ Ｃａｍｅｒａ）２００などの外部機器に接続するインタフェースであるＵＳＢインタフェース１０２と、受信したテレビ放送、およびＵＳＢインタフェース１０２を介して取り込んだ静止画、音声データなど（以下、これらをまとめて「コンテンツ」と呼ぶ）をＤＶＤに記憶し、また装填されたＤＶＤを再生するＤＶＤドライブ１０３と、コンテンツを記憶するＨＤＤ１０４と、制御装置１０５と、チューナー１０１を介して受信したＥＰＧ、およびテレビ放送と、コンテンツの再生映像とを表示するディスプレイ１０６とを備えている。なお、コンテンツをＤＶＤに記憶するか、あるいはＨＤＤに記憶するかは、あらかじめ使用者によって設定される。
【０００８】
制御装置１０５は、チューナー１０１を介して受信したＥＰＧをディスプレイ１０６に表示する。使用者は、ディスプレイ１０６に表示されたＥＰＧを使用して、「視聴したい番組」を指定する。使用者によって視聴したい番組が指定されると、これらの番組は全て録画予約の対象となり、ＤＶＤ、およびＨＤＤ１０４のうち、あらかじめ記憶先として設定されたいずれか一方（以下、録画媒体）に記憶される。なお、本実施の形態における映像再生装置１００では、使用者が視聴したい番組を視聴／録画予約対象とし、使用者がこれらの番組をオンタイムで視聴する、しないに関わらず、全て録画するものとする。そして、視聴／録画予約間の空き時間に、すでに録画して未視聴の番組などを視聴するものとして説明する。
【０００９】
そして、番組録画時にディスプレイ１０６の電源がオンである場合には、使用者によって指定された「視聴したい番組」をディスプレイ１０６に表示して放映すると同時に、録画媒体に録画（記憶）する。一方、番組録画時にディスプレイ１０６の電源がオフである場合には、録画処理のみを行って使用者によって指定された「視聴したい番組」を録画媒体に録画する。
【００１０】
図２は、使用者によって指定された「視聴したい番組」の具体例を示す図である。図２においては、※「視聴」で示される「視聴したい番組」はとびとびの時間帯に指定されているため、各番組の間に空き時間２ａ〜２ｃが生じている。この空き時間２ａ〜２ｃの間は、使用者の「視聴したい番組」が存在しない、すなわち使用者にとって興味のある番組が放送されていない時間帯である。よって、本実施の形態における映像再生装置１００では、この空き時間２ａ〜２ｃを有効活用するために、この時間帯に録画媒体に記憶されているコンテンツのうち、空き時間２ａ〜２ｃのそれぞれの時間で再生可能なコンテンツを再生する。
【００１１】
すなわち、ＤＶＤ、およびＨＤＤ１０４のいずれかに格納されている、録画済みの番組、あるいはＤＳＣ２００で撮影した静止画のスライドショーをディスプレイ１０６に表示する。このとき、これらのいずれを再生するかは、図３に示される管理ファイル内のデータ（後述する録画管理ファイル内のデータ、および画像管理ファイル内のデータ）に基づいて制御装置１０５によって判断され、再生するコンテンツが編集される。なお、録画管理ファイル、および画像管理ファイルはＨＤＤ１０４に記憶されている。
【００１２】
図３（ａ）は、録画媒体に記憶した番組を管理する録画管理ファイルに格納されるデータの具体例を示す図である。録画管理ファイルには、録画した番組ごとにその録画番組名３ａ、録画日時３ｂ、録画時間３ｃ、および視聴済みフラグ３ｄが記憶されている。視聴済みフラグ３ｄには、その番組が未視聴の場合には０が設定され、視聴済みの場合には１が設定される。したがって、番組録画時にディスプレイ１０６の電源がオンである場合には、使用者は当該番組を録画しながら視聴したため、視聴済みフラグ３ｄの初期値に１を設定する。また、番組録画時にディスプレイ１０６の電源がオフである場合には、未視聴であるため、視聴済みフラグ３ｄの初期値に０を設定する。そして、視聴済みフラグ３ｄが０の番組が使用者によって再生されて視聴されると、視聴済みフラグ３ｄを１に更新する。
【００１３】
図３（ｂ）は、ＤＳＣ２００から取り込んだ静止画を管理する画像管理ファイルに格納されるデータの具体例を示す図である。録画管理ファイルには、画像ファイルごとにそのファイル名３ｅ、撮影日時３ｆ、およびスライドショー実行回数３ｇが記憶されている。スライドショー実行回数３ｇは、各画像に対してスライドショーが実行された回数を示すカウンタであり、スライドショーが一回実行されて画像がディスプレイ１０６に表示されるごとにそのスライドショー実行回数３ｇ、すなわちカウント値が１ずつカウントアップされる。
【００１４】
制御装置１０５は、上述した「視聴したい番組」の空き時間２ａ〜２ｃにどのコンテンツを再生するかを、ＨＤＤ１０４から図３（ａ）および図３（ｂ）に示した録画管理ファイル、および画像管理ファイルを読み込んで判断し、各管理ファイル内のデータに基づいて再生するコンテンツを編集する。なお、各コンテンツの再生方法は以下の（１）〜（３）があり、各コンテンツの再生に必要な時間は、各再生方法に基づいて決定する。
【００１５】
（１）通常再生
通常再生は、記憶媒体に録画された番組を、通常の速度、すなわち実際の放送時の速度で再生する。したがって、図３（ａ）に示した「ドキュメンタリー１」は録画時間と同様の４５分の再生時間を必要とする。
（２）高速再生
高速再生は、記憶媒体に録画された番組を、実際の放送時の速度の所定倍速、例えば１．５倍速で再生する。したがって、図３（ａ）に示した「ドキュメンタリー１」は、３０分で再生を完了することができる。この際、人間が視聴および理解可能な再生速度を上限とするように、高速再生の再生速度に上限を設けておくことが望ましい。なお、番組を高速再生する際には、高速再生を行う旨のメッセージをディスプレイ１０６に表示して、使用者に通知する。
（３）スライドショー
スライドショーは、ＤＳＣ２００から取り込んだ静止画を１枚ずつ順番に画面に表示する。このときの再生時間、すなわちスライドショーの実行に必要な時間は、予め設定された１枚あたりの表示時間と、表示する静止画の枚数とによって決定される。例えば、１枚あたりの表示時間が５秒間で、表示枚数が１０枚の場合には、再生時間は５０秒と算出される。
【００１６】
また、本実施の形態では、以下の（Ａ）〜（Ｄ）の条件に基づいて、（１）〜（３）の再生方法を組み合わせてコンテンツを編集する。すなわち、（１）〜（３）の再生方法を組み合わせてコンテンツの再生スケジュールを作成する。
（Ａ）使用者が未視聴の番組、およびスライドショー未実行の静止画（以下、これらを「未視聴のコンテンツ」と呼ぶ）を再生の対象とする。
（Ｂ）使用者が未視聴の番組を優先して再生し、再生できる番組が存在しない場合にスライドショー未実行の静止画を再生する。
（Ｃ）録画日時、および撮影日時（以下、これらを「録画撮影日時」と呼ぶ）が古いコンテンツを優先して再生する。
（Ｄ）未視聴の番組を再生するに当たっては、通常再生を優先し、通常再生した場合には空き時間内に収まる番組がなく、高速再生すれば空き時間内に収まる番組が存在すれば、当該番組を高速再生する。
【００１７】
例えば、空き時間２ａの開始時、すなわち１９：００の時点で、ディスプレイ１０６の電源がオンされている場合には、使用者はコンテンツを視聴できる状況であると判断して、未視聴のコンテンツを選択し、その中から空き時間２ａ、すなわち３０分間で再生可能なコンテンツを抽出する。この場合、図３（ａ）に示した録画管理ファイル内に、通常再生した場合には３０分で再生可能な未視聴の番組は存在しないが、１．５倍速の高速再生によって３０分間ちょうどで再生可能な未視聴のドキュメンタリー１が存在することから、当該ドキュメンタリー１を１．５倍速で高速再生するよう再生速度の設定を変更するように編集する。そして、ＨＤＤ１０４からドキュメンタリー１を読み込んで再生し、再生後はドキュメンタリー１の視聴済みフラグ３ｄを１に更新する。
【００１８】
また、空き時間２ｂの開始時、すなわち２０：００の時点で、ディスプレイ１０６の電源がオンされている場合には、未視聴のコンテンツの中から空き時間２ｂ、すなわち１時間で再生可能なコンテンツを検索する。この場合、図３（ａ）に示した録画管理ファイル内に、通常再生によって空き時間２ｂちょうどで再生可能な未視聴のドラマ１、およびドラマ２が存在する。したがって、録画日時の古いドラマ１を通常再生するよう編集する。そして、ＨＤＤ１０４からドラマ１を読み込んで再生し、再生後はドラマ１の視聴済みフラグ３ｄを１に更新する。
【００１９】
空き時間２ｃの開始時、すなわち２１：１０の時点で、ディスプレイ１０６の電源がオンされている場合には、未視聴のコンテンツの中から空き時間２ｃ、すなわち５０分間で再生可能なコンテンツを検索する。この場合、図３（ａ）に示した録画管理ファイル内に、１．５倍速の高速再生によって４０分間で再生可能な未視聴のドラマ２が存在する。また、当該ドラマ２を高速再生した場合に、なお１０分間の空き時間が残るため、この１０分間で再生可能なコンテンツを検索する。図３（ａ）に示した録画管理ファイル内には、通常再生、および高速再生によって１０分間で再生可能なコンテンツは存在しないため、画像管理ファイル内でスライドショー実行回数が０（未実行）である静止画を検索する。
【００２０】
そして、４０分間で再生可能な未視聴のドラマ２と、１０分以内でスライドショー可能な枚数の静止画を再生するようにコンテンツを編集する。例えば、スライドショー実行時の１枚あたりの表示時間が５秒間である場合には、１０分間で１２０枚の静止画を再生できる。したがって、画像管理ファイル内でスライドショー実行回数が０となっている静止画、すなわちＤＳＣＮ０００４．ｊｐｇからＤＳＣＮ００１５．ｊｐｇの１２枚を全て再生することが可能となる。なお、スライドショーの対象を１２枚とした場合、スライドショーの再生時間は１分間となり、さらに９分間の空き時間が残ることとなるが、９分間で再生可能な未視聴のコンテンツはすでに存在しないため、この場合は、９分間の空き時間が残ることとなる。
【００２１】
編集した編集コンテンツにしたがって、ＨＤＤ１０４からドラマ２を読み込んで再生し、その視聴済みフラグ３ｄを１に更新する。続けて、スライドショーの対象である静止画を読み込んでスライドショーを実行し、各画像を表示後にはその画像のスライドショー実行回数に１を加算する。これによって、視聴したい番組の空き時間を利用して、録画、および撮影済みの未視聴のコンテンツを効率よく視聴することが可能となる。
【００２２】
また、本実施の形態における映像再生装置１００においては、視聴済みのコンテンツ、すなわち視聴済みフラグ３ｄが１の番組、およびスライドショー実行回数が０でない静止画を一括してＨＤＤ１０４から削除することができる。これによって、ＨＤＤ１０４には未視聴のコンテンツのみを残すことができ、コンテンツ管理が容易に行える。
【００２３】
図４は、本実施の形態の映像再生装置１００の動作を示すフローチャートである。ステップＳ１０において、ディスプレイ１０６の電源がオンであるか否かを判断する。ディスプレイ１０６の電源がオンであると判断した場合には、ステップＳ２０へ進む。ステップＳ２０では、使用者によって、ＥＰＧを使用して「視聴したい番組」として指定された番組が開始する時刻になったか否かを判定する。指定された番組が開始する時刻になったと判断した場合には、ステップＳ３０へ進む。
【００２４】
ステップＳ３０では、「視聴したい番組」の録画を開始する。すなわち、「視聴したい番組」を、ＤＶＤ、およびＨＤＤ１０４のうち、あらかじめ記憶先として設定されたいずれか一方の記憶媒体に記憶する。その後、ステップＳ４０へ進む。ステップＳ４０では、ディスプレイ１０６の電源がオンであることから、使用者は「視聴したい番組」を視聴中であると判断して、録画管理ファイル内に追加した当該番組のデータにおける視聴済みフラグに１を設定して、フラグをオンにする。その後、ステップＳ５０へ進み、「視聴したい番組」が終了したか否かを判断する。番組が終了したと判断した場合には、ステップＳ６０へ進んで、録画を終了して、ステップＳ１０へ戻る。
【００２５】
一方、ステップＳ２０で、指定された番組が開始する時刻になっていないと判断した場合には、ステップＳ７０へ進む。ステップＳ７０では、上述したとおり、コンテンツを編集する。その後、ステップＳ８０へ進み、ステップＳ７０における編集結果に基づいて、ステップＳ８０以降で編集コンテンツの再生を行う。
【００２６】
すなわち、コンテンツの再生方法が通常再生である場合には、ステップＳ９０へ進み、再生対象の番組をＨＤＤ１０４から読み込んで、実際の放送時の速度で再生し、後述するステップＳ１２０へ進む。コンテンツの再生方法が高速再生である場合には、ステップＳ１００へ進み、再生対象の番組をＨＤＤ１０４から読み込んで、ステップＳ７０で設定された実際の放送時の速度の所定倍速、例えば１．５倍速で再生し、後述するステップＳ１２０へ進む。ステップＳ１２０では、再生した番組の視聴済みフラグに１を設定してフラグをオンにする。また、コンテンツの再生方法がスライドショーである場合には、ステップＳ１１０へ進み、スライドショーの対象となる静止画をＨＤＤ１０４から読み込んで、スライドショーを実行する。その後、ステップＳ１３０へ進み、再生した静止画のスライドショー実行回数に１を加算する。
【００２７】
その後、ステップＳ１４０へ進み、再生が終了したか否かを判断する。再生が終了したと判断した場合には、ステップＳ１５０へ進み、編集コンテンツに含まれる全てのコンテンツの再生が完了したか否かを判断する。全てのコンテンツの再生が完了していないと判断した場合には、ステップＳ８０へ戻り、編集コンテンツにしたがって、次のコンテンツの再生を開始する。一方、全てのコンテンツの再生が完了したと判断した場合には、ステップＳ１０へ戻る。
【００２８】
次に、ステップＳ１０でディスプレイ１０６の電源がオフであると判断した場合の処理について説明する。この場合には、ステップＳ１６０へ進む。ステップＳ１６０では、使用者によって、ＥＰＧを使用して「視聴したい番組」として指定された番組が開始する時刻になったか否かを判定する。指定された番組が開始する時刻になっていないと判断した場合には、ステップＳ１０へ戻る。一方、指定された番組が開始する時刻になったと判断した場合には、ステップＳ１７０へ進む。ステップＳ１７０では、「視聴したい番組」の録画を開始して、ステップＳ１８０へ進む。
【００２９】
ステップＳ１８０では、ディスプレイ１０６の電源がオフであることから、使用者は「視聴したい番組」を視聴していないと判断して、録画管理ファイル内に追加した当該番組のデータにおける視聴済みフラグに０を設定して、フラグをオフにする。その後、ステップＳ１９０へ進み、「視聴したい番組」が終了したか否かを判断する。番組が終了したと判断した場合には、ステップＳ２００へ進んで、録画を終了して、ステップＳ１０へ戻る。
【００３０】
以上説明した本実施の形態によれば、以下のような作用効果を得ることができる。
（１）使用者によって指定された「視聴したい番組」の空き時間に、未視聴の録画済みの番組や静止画のコンテンツを再生することとした。これによって、「視聴したい番組」が無い時間帯に、未視聴のコンテンツを効率的に視聴することができる。
（２）空き時間に再生するコンテンツを編集するに当たって、空き時間内で番組の再生が可能なように、再生速度を変化させることとした。すなわち高速再生することとした。これによって、通常再生では空き時間内に収まらないコンテンツの再生も可能となり、さらに効率的に空き時間を活用することが可能となる。
【００３１】
（３）空き時間にＤＳＣ２００から取り込んだ静止画も再生できるようにした。これによって、番組の再生ができない短い空き時間が残った場合にも、静止画のスライドショーを実行することができ、さらに効率的に空き時間を活用することが可能となる。
（４）複数のコンテンツを複数の再生方法で組み合わせて、空き時間内に再生可能なコンテンツを編集することとした。これによって、空き時間を最大限に活用して、未視聴のコンテンツを効率的に視聴することができる。
【００３２】
なお、以下のように変形することもできる。
（１）上述した実施の形態では、外部機器とのインタフェースとしてＵＳＢインタフェースを搭載することとしたが、これに限定されず、ＩＥＥＥ１３９４など、他のインタフェースを採用してもよい。
【００３３】
（２）上述した実施の形態では、（Ａ）〜（Ｄ）に示した条件に基づいてコンテンツを編集することとしたが、その他の条件に基づいてコンテンツを編集してもよい。
【００３４】
（３）上述した実施の形態では、コンテンツを編集した結果、短い空き時間が残った場合に、その残った空き時間で再生可能な未視聴のコンテンツが存在しなければ、その空き時間はそのまま残るものとした。しかし、これに限定されず、短い空き時間が残り、その残った空き時間で再生可能な未視聴のコンテンツが存在しない場合に、視聴済みのコンテンツで残った空き時間内に再生可能なコンテンツが存在すれば、そのコンテンツを再生して、空き時間を一切残さないようにしてもよい。これによって、さらに空き時間を有効活用することができる。
【００３５】
（４）上述した実施の形態では、ＤＳＣ２００から取り込んだ静止画を再生の対象とする例について説明したが、これに限定されず、例えば、ＤＳＣ２００や家庭用ビデオカメラで撮影した動画データ、または音楽（音声）データなどをＨＤＤ１０４に取り込んで、再生の対象としてもよい。また、ＤＶＤドライブ１０３に装填された映画のＤＶＤなども再生の対象としてもよい。
【００３６】
（５）上述した実施の形態では、高速再生は記憶媒体に録画された番組を、実際の放送時の速度の所定倍速、例えば１．５倍速で再生することとした。しかし、例えば、番組開始から所定時間と、番組終了直前の所定時間のみを実際の放送時の速度の所定倍速とし、その他の部分は実際の放送時の速度で再生するようにしてもよい。これによって、番組の最初と最後はＣＭが含まれることが多いことを考慮して、ＣＭ部分のみ高速再生して、コンテンツ本編を通常速度で視聴することができ、使用者にとっての利便性を向上することができる。
【００３７】
（６）上述した実施の形態では、空き時間内に収まるようにコンテンツを編集して、編集コンテンツを再生することとした。しかし、編集結果をディスプレイ１０に表示して使用者に提示し、使用者が編集結果を変更できるようにしてもよい。このとき、使用者が空き時間内に収まりきらないコンテンツを選択し、その後の「視聴したい番組」の放送時間帯と再生の時間帯とが重なった場合には、コンテンツを再生した後、公知の追っかけ再生の技術により「視聴したい番組」を録画しながら視聴するようにしてもよい。
【００３８】
（７）上述した実施の形態では、図１に示した構成例のように、映像再生装置１００が、チューナー１０１、およびディスプレイ１０６で構成されるテレビ機能と、ＤＶＤドライブ１０３、ＨＤＤ１０４、およびＵＳＢインタフェース１０２で構成されるビデオ機能とを備える例について説明した。しかし、図５に示すように、映像再生装置１００は、テレビ１００ａとビデオ１００ｂとを個別の装置として備えてもよい。
【００３９】
特許請求の範囲の構成要素と実施の形態との対応関係について説明する。ＤＶＤドライブ１０３に装填されるＤＶＤ、およびＨＤＤ１０４は記憶手段に、制御装置１０５は録画手段、編集手段、および再生手段に相当する。なお、本発明の特徴的な機能を損なわない限り、本発明は、上述した実施の形態における構成に何ら限定されない。
【図面の簡単な説明】
【００４０】
【図１】映像再生装置の一実施の形態の構成例を示すブロック図である。
【図２】使用者によって指定された「視聴したい番組」の具体例を示す図である。
【図３】録画管理ファイル、および画像管理ファイルに格納されるデータの具体例を示す図である。
【図４】映像再生装置１００の動作を示すフローチャート図である。
【図５】映像再生装置の一実施の形態の構成の変形例を示すブロック図である。
【符号の説明】
【００４１】
１００  映像再生装置
１０１  チューナー
１０２  ＵＳＢインタフェース
１０３  ＤＶＤドライブ
１０４  ＨＤＤ
１０５  制御装置
１０６  ディスプレイ
【図１】
2006086607.tif 000003
【図２】
2006086607.tif 000004
【図３】
2006086607.tif 000005
【図４】
2006086607.tif 000006
【図５】
2006086607.tif 000007